(57)【特許請求の範囲】
【請求項１】
絶縁材で箱状に形成されたボックス本体と、このボックス本体の側壁に形成されたケーブル挿入孔とからなるケーブル配線ボックスにおいて、前記ケーブル挿入孔を外周部に所定間隔でリング状の溝が形成されたケーブル保護管の溝内に先端部が入り込む形状に形成するとともに、該ケーブル挿入孔の下部側壁が係止片となるようにケーブル挿入孔の下部側壁および底面に一対の切欠部を形成したことを特徴とするケーブル配線ボックス。
【請求項２】
絶縁材で箱状に形成されたボックス本体と、このボックス本体の側壁に形成されたケーブル挿入孔とからなるケーブル配線ボックスにおいて、前記ケーブル挿入孔は外側からケーブル保護管を押し込めるように円錐台形状の輪郭形状に形成し、該ケーブル挿入孔を外周部に所定間隔でリング状の溝が形成されたケーブル保護管の溝内に先端部が入り込む形状に形成するとともに、ケーブル挿入孔の下部側壁が係止片となるようにケーブル挿入孔の下部側壁および底面に一対の切欠部を形成したことを特徴とするケーブル配線ボックス。
【発明の詳細な説明】
【０００１】
【発明の属する技術分野】
本発明はスイッチやコンセント等の配線器具を取付けるための壁板内等に設置されるケーブル配線ボックスに関する。
【０００２】
【従来の技術】
従来のケーブル配線ボックスは絶縁材で箱状に形成されたボックス本体の両側壁にケーブル挿入孔が形成されている。
【０００３】
【発明が解決しようとする課題】
従来の配線ボックスはボックス本体のケーブル挿入孔に着脱可能に取付けることができるケーブル保護管支持具を用いてケーブル保護管の端部を取付け、該ケーブル保護管内にケーブルを挿入して配線を行なっているので、ケーブル保護管の接続にケーブル保護管支持具を用いなければならず、その作業が大変で、コスト高になるという欠点があった。
【０００４】
本発明は以上のような従来の欠点に鑑み、ケーブル保護管の取付けをケーブル保護管支持具を用いることなく、簡単な操作で、確実に低コストで取付けることができるケーブル配線ボックスを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は絶縁材で箱状に形成されたボックス本体と、このボックス本体の側壁に形成されたケーブル挿入孔とからなるケーブル配線ボックスにおいて、前記ケーブル挿入孔を外周部に所定間隔でリング状の溝が形成されたケーブル保護管の溝内に先端部が入り込む形状に形成するとともに、該ケーブル挿入孔の下部側壁が係止片となるようにケーブル挿入孔の下部側壁および底面に一対の切欠部とでケーブル配線ボックスを構成している。
【０００７】
【発明の実施の形態】
以下、図面に示す実施の形態により、本発明を詳細に説明する。
【０００８】
図１ないし図１１に示す本発明の第１の実施の形態において、１は絶縁材の合成樹脂材を用いて長方形状の箱状に形成したボックス本体で、このボックス本体１の一方の長片側の側壁１ａの外側面には図７に示すように、軽量間柱Ｘに取付けられる取付け治具２の係合溝３に係合されるビス挿入孔４を有する係合片５、５、５が形成され、他方の長片側の側壁１ｂにはビス挿入孔４、４、４が形成され、底面１ｅの中央部寄りの部位には壁面等への取付け用のビス挿入孔６、６、６、６、６が形成されている。
【０００９】
７、７は前記ボックス本体１の短片側の側壁１ｃ、１ｄ側の、ほぼ中央部の底面１ｅより上方に突出するように一体成型された一対の支柱で、この一対の支柱７、７にはスイッチやコンセント等の配線器具８が取付けられた器具取付け板９を該一対の支柱７、７の近傍の底面１ｅに形成したビス係止部１７、１７に係止されたビス１０、１０によって取付けるねじ孔１１、１１が形成されている。
【００１０】
１２、１２、１２、１２は前記ボックス本体１の短片側の側壁１ｃ、１ｄの両側部寄りの部位に形成された２対のケーブル挿入孔で、この２対のケーブル挿入孔１２、１２、１２、１２は外側より外周部に所定間隔で小径寸法のリング状の溝１３が形成された合成樹脂材製のＣＤ管と称されるケーブル保護管１４を押し込み、先端部が該ケーブル保護管１４のリング状の溝１３内に挿入係止される円錐台形状の輪郭形状に形成されている。
【００１１】
１５、１５、１５、１５は前記ケーブル挿入孔１２、１２、１２、１２の下部側壁１ｃ、１ｄが係止片１６、１６、１６、１６となるようにケーブル挿入孔１２、１２、１２、１２の下部側壁１ｃ、１ｄおよび底面１ｅに形成した一対の切欠部である。
【００１２】
２５、２５は前記ボックス本体１の底面１ｅに接続部１８、１８を介して形成された底面用ケーブル挿入孔１９、１９を形成することができる切欠部である。
【００１３】
２０は前記ボックス本体１の上縁部に選択的に固定された共振回路で、この共振回路２０はコンデンサー２１が介装されたリング状の導体２２で構成されている。
この共振回路２０は図８に示すように壁板２３で覆われた場合に、図９に示すように共振回路２０を利用した検出器２４によって位置を確認するために使用される。
【００１４】
上記構成のケーブル配線ボックス２６は図１１に示すようにケーブル挿入孔１２、１２、１２、１２にケーブル保護管１４、１４、１４、１４の端部を押し込むことにより、係止片１６、１６、１６、１６が外方へ移動しながら該ケーブル保護管１４、１４、１４、１４のリング状の溝１３内にケーブル挿入孔１２、１２、１２、１２の周縁部および係止片１６、１６、１６、１６の先端部が入り込んで係止される。
その他のケーブル配線ボックスの取付けについては、従来と同様な方法で行なわれる。
【００１５】
【発明の異なる実施の形態】
次に、図１２ないし図１８に示す本発明の異なる実施の形態につき説明する。なお、これらの本発明の異なる実施の形態の説明に当って、前記本発明の第１の実施の形態と同一構成部分には同一符号を付して重複する説明を省略する。
【００１６】
図１２ないし図１４に示す本発明の第２の実施の形態において、前記本発明の第１の実施の形態と主に異なる点は、２個用にするために中央部に仕切板２７を取付けられるように両側壁１ｃ、１ｄの中央内側面に仕切板挿入溝２８、２８を形成した２倍のボックス本体１Ａを用いた点で、このように形成されたボックス本体１Ａを用いて構成したケーブル配線ボックス２６Ａにしても、前記本発明の第１の実施の形態と同様な作用効果が得られる。
【００１７】
図１５ないし図１８に示す本発明の第３の実施の形態において、前記本発明の第１の実施の形態と主に異なる点は、３個用にするために３倍の大きさのボックス本体１Ｂと、このボックス本体１Ｂに一方の側部から３分の１の部分に形成した仕切板２７を取付けられるように両側壁１ｃ、１ｄの内側面に仕切板挿入溝２８、２８と、前記ボックス本体１Ｂの他方の側部から３分の１の部分に固定された両端部の上面が、該ボックス本体１Ｂの上部よりも下部に位置する切断溝２９が形成された固定仕切壁３０と、この固定仕切壁３０の上部にリング状の導体２２が位置する共振回路２０Ａとを用いた点で、このように形成されたボックス本体１Ｂを用いて構成したケーブル配線ボックス２６Ｂにしても、前記本発明の第１の実施の形態と同様な作用効果が得られるとともに、固定仕切壁３０が不要な場合には、切断溝２９部分より除去したり、残した上部や導体２２部分をカッターナイフ等で切断除去して使用することができる。
【００１８】
【発明の効果】
以上の説明から明らかなように、本発明にあっては次に列挙する効果が得られる。
【００１９】
（１）絶縁材で箱状に形成されたボックス本体と、このボックス本体の側壁に形成されたケーブル挿入孔とからなるケーブル配線ボックスにおいて、前記ケーブル挿入孔を外周部に所定間隔でリング状の溝が形成されたケーブル保護管の溝内に先端部が入り込む形状に形成するとともに、該ケーブル挿入孔の下部側壁が係止片となるようにケーブル挿入孔の下部側壁および底面に一対の切欠部を形成したので、ボックス本体のケーブル挿入孔にケーブル保護管の端部を押し込むだけでケーブル保護管をケーブル挿入孔に取付けることができる。
したがって、従来のようにケーブル保護管支持具を必要としないので、安価に容易にケーブル保護管を取付けることができる。
【００２０】
（２）前記（１）によって、ケーブル保護管をケーブル挿入孔に押し込む時に、係止片を形成する一対の切欠部によって、係止片が弾性変形し、容易にケーブル保護管をケーブル挿入孔内に挿入することができる。
したがって、楽な操作でケーブル保護管をボックス本体に取付けることができる。
【００２１】
（３）前記（１）によって、構造が簡単で、部品も増加しないので、従来と同様なコストで製造することができる。
【００２２】
（４）請求項２も前記（１）〜（３）と同様な効果が得られるとともに、ケーブル保護管のケーブル挿入孔への挿入が容易にできるとともに、ケーブル挿入孔よりケーブル保護管の抜け脱を確実に防止することができる。
【図面の簡単な説明】
【図１】本発明の第１の実施の形態の正面図。
【図２】本発明の第１の実施の形態の背面図。
【図３】本発明の第１の実施の形態の左側面図。
【図４】本発明の第１の実施の形態の右側面図。
【図５】本発明の第１の実施の形態の平面図。
【図６】図１の６−６線に沿う断面図。
【図７】本発明の第１の実施の形態を軽量間柱に取付ける状態の説明図。
【図８】本発明の第１の実施の形態の取付け状態の説明図。
【図９】検出器の使用状態の説明図。
【図１０】器具取付け板の取付け状態の説明図。
【図１１】ケーブル保護管の取付け状態の説明図。
【図１２】本発明の第２の実施の形態の正面図。
【図１３】本発明の第２の実施の形態の平面図。
【図１４】図１２の１４−１４線に沿う断面図。
【図１５】本発明の第３の実施の形態の正面図。
【図１６】本発明の第３の実施の形態の平面図。
【図１７】図１５の１７−１７線に沿う断面図。
【図１８】図１５の１８−１８線に沿う断面図。
【符号の説明】
１、１Ａ、１Ｂ：ボックス本体、
Ｘ：軽量間柱、          ２：取付け治具、
３：係合溝、            ４：ビス挿入孔、
５：係合片、            ６：取付け用のビス挿入孔、
７：支柱、              ８：配線器具、
９：器具取付け板、      １０：ビス、
１１：ねじ孔、          １２：ケーブル挿入孔、
１３：リング状の溝、    １４：ケーブル保護管、
１５：切欠部、          １６：係止片、
１７：ビス係止部、      １８：接続部、
１９：底面用ケーブル挿入孔、
２０、２０Ａ：共振回路、２１：コンデンサー、
２２：リング状の導体、  ２３：壁板、
２４：検出器、          ２５：切欠部、
２６、２６Ａ、２６Ｂ：ケーブル配線ボックス、
２７：仕切板、          ２８：仕切板挿入溝、
２９：切断溝、          ３０：固定仕切壁。
【図１】
0003594563.tif 000002
【図２】
0003594563.tif 000003
【図３】
0003594563.tif 000004
【図４】
0003594563.tif 000005
【図５】
0003594563.tif 000006
【図６】
0003594563.tif 000007
【図７】
0003594563.tif 000008
【図８】
0003594563.tif 000009
【図９】
0003594563.tif 000010
【図１０】
0003594563.tif 000011
【図１１】
0003594563.tif 000012
【図１２】
0003594563.tif 000013
【図１３】
0003594563.tif 000014
【図１４】
0003594563.tif 000015
【図１５】
0003594563.tif 000016
【図１６】
0003594563.tif 000017
【図１７】
0003594563.tif 000018
【図１８】
0003594563.tif 000019